(57)【要約】      （修正有）【課題】従来例においては、屋外フードが外気の影響を受けて、大きな圧力損失が生じるため水密性が低いなどの欠点があった。また、室内側からの水蒸気により、外壁の塗装に膨れや剥がれが生じるなどの欠点もあった。本発明は、風雨や雪等の侵入や外壁の凍害、汚れ等も防止できる屋外フードおよびそれを用いた換気ユニットを提供する。【解決手段】流入する気体が一方向にのみ流れるような逆流防止構造の部材が設けられている屋外フード。その屋外フードに、蓄熱エレメント、室内側フード、防塵フィルター、換気ファン及びスリーブを組み合わせた換気ユニット。【選択図】図１
2013134018.tif 000002
【特許請求の範囲】
【請求項１】
建物室内などの換気を行うために換気口などの屋外側に取り付けられる屋外フードにおいて、流入する気体が一方向にのみ流れるような逆流防止構造の部材が設けられていることを特徴とする屋外フード。
【請求項２】
請求項１記載の屋外フードにおいて、前記逆流防止構造の部材が合成樹脂又はセラミックで構成されていることを特徴とする屋外フード。
【請求項３】
請求項１または請求項２に記載された屋外フードにおいて、更に、流入する気体の流れを複数路に分流する分流手段を前記フードの内側に設けられていることを特徴とする屋外フード。
【請求項４】
請求項１または請求項２または請求項３に記載された屋外フードにおいて、流体の流れを絞ることによって、流速を増加させて、低速部に比べて低い圧力を発生させるようなベンチュリ管構造の部材が設けられていることを特徴とする屋外フード。
【請求項５】
屋外フードを用いた換気ユニットにおいて、内部に流入する気体から熱と湿気を吸入しながら所定温度まで蓄熱する蓄熱エレメントと、室内側フードと、防塵フィルターと、換気ファンと、スリーブと、屋外側フードから成り、前記屋外側フードは流入する気体が一方向にのみ流れるような逆流防止構造の部材が設けられていることを特徴とする換気ユニット。
【請求項６】
請求項４記載の換気ユニットにおいて、前記逆流防止構造の部材が合成樹脂又はセラミックで構成されていることを特徴とする換気ユニット。
【請求項７】
請求項４または請求項５に記載された換気ユニットにおいて、更に、流入する気体の流れを複数路に分流する分流手段を前記フードの内側に設けられていることを特徴とする換気ユニット。
【請求項８】
請求項５または請求項６または請求項７に記載された屋外フードにおいて、流体の流れを絞ることによって、流速を増加させて、低速部に比べて低い圧力を発生させるようなベンチュリ管構造の部材が設けられていることを特徴とする換気ユニット。
【発明の詳細な説明】
【技術分野】
【０００１】
本発明は、建物室内の換気を行うために換気口の屋外側に取り付けられる屋外フード及びそれを用いた換気ユニットに関するものである。
【背景技術】
【０００２】
近年、住宅などの耐久性に関する要望が急速に高まっており、その中でも、換気扇等の換気口から雨などが室内に侵入して室内の住宅材を腐らせたり、換気口を通って屋外に排出される気体により外壁が汚れたりすることなどが問題視されている。このような要望に対応すること等に関し、換気扇等に取り付けられる屋外フードの従来例としては、例えば、下記の特許文献１に記載されたものが知られている。
【０００３】
図３及び図４は、下記特許文献１などに記載されている従来例を説明するための図である。図３において、３０１は屋外フード本体、３０２は空気などの気体が通過する給気口、３０３は雪などが侵入するのを防ぐ網、３０４は網３０３を屋外フード本体３０１に固定させるネジ、３０５は屋外フード本体３０１の底部周辺部分に設けられた凹部である。
【０００４】
図４において、４０１は給気通路、４０２は室外側吸込口、４０３は室内側給気口、４０４は排気通路、４０５は室内側排気口、４０６は室外側吐出口、４０７は給気側送風機、４０８は排気側送風機、４０９は熱交換素子、４１０は熱交換型の換気扇本体、４１１はシャッター、４１２は壁部、４１３は排気用パイプ、４１４は給気用パイプ、４１５は筒部、４１６はねじ、４１７はフードベース、４１８は排気口、４１９は屋外フード、４２０は換気扇本体４１０の底部周辺部分に設けられた凹部、４２１は気体の漏れなどを防ぐためのコーキング、４２２は給気口、４２３は雪などの通過を防ぐための網、４２４は屋外フードである。
【０００５】
図３及び図４で示されたような構成からなる従来例において、寒冷地で吹雪や風雪等のような気象条件が悪い時に、熱交換形の換気扇本体４１０を運転して、室外の空気を室内側に誘引しても粉雪等は屋外フード４２５に設けられた網４２３により通過を阻止される。このため、空気だけを取り入れ、粉雪等が換気扇本体４１０に侵入するのを防止することができる。
【０００６】
これにより、寒冷地における吹雪や風雪等のような気象条件が悪い時に換気扇本体４１０を運転しても、粉雪等が換気扇本体４１０に侵入することがない。このため、換気扇本体４１０から水滴が滴下するようなことがなくなる。また、室外側吸込口４０２と室外側吐出４０６を閉鎖するシャッター４１１が氷結して作動不良となるようなことも防止できる。
【０００７】
然しながら、上述のような構成からなる従来例においては、屋外フード４１９が外気の影響を受けて大きな圧力損失が生じるため、水密性が低いなどの欠点があった。また、室内側からの水蒸気により外壁の塗膜に膨れや剥がれが発生するなど、凍結による被害が生じるという欠点もあった。
【先行技術文献】
【特許文献】
【０００８】
【特許文献１】特開平１０−００９６２９号公報
【発明の概要】
【発明が解決しようとする課題】
【０００９】
本発明はかかる従来例の欠点などに鑑みてなされたものであり、従来の屋外フードよりも風雨や雪などを入り難くすると共に換気の際の給気や排気を円滑にし、しかも外壁の凍害や汚れ等も防止できるような屋外フードおよびそれを用いた換気ユニットを提供することを目的とする。
【課題を解決するための手段】
【００１０】
上記課題を解決するため、本発明は、建物室内などの換気を行うために換気口などの屋外側に取り付けられる屋外フードにおいて、流入する気体が一方向にのみ流れるような逆流防止構造の部材が設けられていることを特徴とする。
【００１１】
同様に、本発明は、上記課題を解決するため、屋外フードにおいて、前記逆流防止構造の部材が合成樹脂又はセラミックで構成されていることを特徴とする。同様に、本発明は、上記課題を解決するため、請求項１または請求項２に記載された屋外フードにおいて、更に、流入する気体の流れを複数路に分流する分流手段を前記フードの内側に設けられていることを特徴とする。同様に、本発明は、上記課題を解決するため、請求項１または請求項２または請求項３に記載された屋外フードにおいて、流体の流れを絞ることによって、流速を増加させて、低速部に比べて低い圧力を発生させるようなベンチュリ管構造の部材が設けられていることを特徴とする。
【００１２】
また、本発明は、上記課題を解決するため、換気ユニットにおいて、内部に流入する気体から熱と湿気を吸入しながら所定温度まで蓄熱する蓄熱エレメントと、室内側フードと、防塵フィルターと、換気ファンと、スリーブと、屋外側フードから成り、前記屋外側フードは流入する気体が一方向にのみ流れるような逆流防止構造の部材が設けられていることを特徴とする。
【００１３】
同様に、本発明は、上記課題を解決するため、換気ユニットにおいて、前記逆流防止構造の部材が合成樹脂又はセラミックで構成されていることを特徴とする。同様に、本発明は、上記課題を解決するため、請求項４または請求項５に記載された換気ユニットにおいて、更に、流入する気体の流れを複数路に分流する分流手段を前記フードの内側に設けられていることを特徴とする。同様に、本発明は、上記課題を解決するため、請求項５または請求項６または請求項７に記載された屋外フードにおいて、流体の流れを絞ることによって、流速を増加させて、低速部に比べて低い圧力を発生させるようなベンチュリ管構造の部材が設けられていることを特徴とする。
【発明の効果】
【００１４】
本発明によれば、屋外フードが外気の影響を受けて大きな圧力損失が生じることを防ぐことができる。また、室内側から供給される水蒸気により外壁の塗膜に膨れや剥がれが発生するなど凍結による膨張などの被害が生じるという欠点も解消でき、風雨や雪などを入り難くし、換気の際の程よい給気・スムーズな排気を実現することができる。
【００１５】
従って、本発明によれば、風雨や雪などを入り難くすると共に換気の際の給気や排気を円滑にし、しかも外壁の凍害や汚れ等も防止できるような屋外フードおよびそれを用いた換気ユニットが実現する。
【図面の簡単な説明】
【００１６】
【図１】本発明に係わる屋外フードの実施形態を説明するための分解構成斜視図
【図２】本発明に係わる換気ユニットの実施形態を説明するための図
【図３】従来の屋外フードを説明するための斜視図
【図４】従来の換気扇を説明するための断面図
【発明を実施するための形態】
【００１７】
以下、本発明の実施形態について図を参照しながら詳しく説明する。図１は本発明に係わる屋外フードの実施形態を説明するための分解構成斜視図である。この図において、１０１は気密パッキン、１０２は取付け枠、１０３はフードカバーである。このフードカバー１０３の内側には、流入する気体が一方向にのみ流れるような逆流防止構造の部材が設けられている。
【００１８】
この逆流防止構造の部材としては、例えば、流入口から流入した気体が逆流するのを防ぐ逆止弁的構造の部材などが挙げられる。なお、気密パッキン１０１と取付け枠１０２はフードカバー１０３に一体的に装着されて、本実施形態の屋外フードが形成されるようになっている。
【００１９】
また、フードカバー１０３の内側には、流入する気体の流れを複数路に分流する分流手段が設けられている。この分流手段としては、例えば、１つの流入口から流入した気体を２方向に分流する逆Ｙ字形の分流部材などが挙げられる。
【００２０】
また、フードカバー１０３の内側には、流入する気体の流れの強弱にかかわらず低い圧力を発生させるためベンチュリ効果を応用した手段が設けられている。この手段としては、例えば、１つの流入口から流入した気体の流れを絞ることによって、流速を増加させて、低速部に比べて低い圧力を発生させるようなベンチュリ管構造の部材などが挙げられる。
【００２１】
なお、フードカバー１０３の内側には、次の機能うち１又は複数の機能を有する付加機能部材を設けることもできる。流入する気体から発せられる臭いを一定量除去する防臭機能、流入する気体と一緒に侵入する虫など除去したり寄せ付けなかったりする防虫機能、流入する気体と一緒に水が侵入するのを除去する防水機能、湿度が高くなるのを防ぐ防湿機能。
【００２２】
図２は、図１で示した構成の屋外フードを用いた換気ユニットの実施形態を説明するための構成断面図である。この図において、２０１はフード、２０２は気密パッキン、２０３は外装材、２０４は通気層、２０５は雨水や風などを防ぐシート、２０６は構造用合板、２０７は断熱材、２０８は防湿用のシート、２０９は内装材、２１０はパイプ、２１１はパイプファンである。
【００２３】
図２のような構成からなる本発明の実施形態において、例えば、夏には外側から流れてくる冷たい空気がパイプ２１０内を通過し、図示しない蓄熱エレメントの内部に蓄えられる。また、その蓄熱エレメント内の熱を徐々に吸収して排出する。そして、例えば70秒後に自動的にパイプファン２１１が逆方向に回転を始め、排気から給気に切り替わる。このため、室外側からの暖かい空気が、排気の時に予め冷やされた蓄熱エレメント内を通過することで、室温に近い温度まで冷やされながら給気される。
【００２４】
一方、冬には、夏の場合と逆の働きを行い、外気を室温近くまで温めて給気することで、室温をほぼ一定に保つことができるようになる。なお、排給気の際に空気はフード２０１を通過するが、このフードは、例えばツーピース構造でプラスチック製である等の工夫がなされていることから、雨・風・雪の侵入がパイプ２１０内に入りにくくなっている。
【産業上の利用可能性】
【００２５】
本発明にかかる屋外フードは、外気の影響を受けて大きな圧力損失が生じることを防ぐことができる。また、室内側からの水蒸気により外壁の塗膜に膨れや剥がれが発生するなど凍結による膨張などの被害を解消できる点で有用である。更に、風雨や雪などを入り難くし、換気の際の程よい給気・スムーズな排気を実現できる点で有用である。
【符号の説明】
【００２６】
１０１                気密パッキン
１０２                取付け枠
１０３                フードカバー
２０１                フード
２０２                気密パッキン
２０３                外装材
２０４                通気層
２０５                防水防風シート
２０６                構造用合板
２０７                断熱材
２０８                防湿シート
２０９                内装材
２１０                パイプ
２１１                パイプファン
３０１                屋外フード本体
３０２,４２２          給気口
３０３,４２３          網、
３０４,４１６          ネジ
３０５,４２０          凹部
４０１                給気通路
４０２                室外側吸込口
４０３                室内側給気口
４０４                排気通路
４０５                室内側排気口
４０６                室外側吐出口
４１０                換気扇本体
４１２                壁部
４１８                排気口
４１９,４２５          屋外フード
【図１】
2013134018.tif 000003
【図２】
2013134018.tif 000004
【図３】
2013134018.tif 000005
【図４】
2013134018.tif 000006